(57)【要約】【課題】本願発明の課題は、歩行運動に際して装着者の肘の回旋軌道を設定することにより、肩関節の自由性を損なうことなく、前鋸筋・菱形筋の拮抗運動と一定のリズムで正確な胸椎回旋・肩甲骨の動きを行うことのできる健康器具を提供することにある。【課題手段】本願発明に係る健康器具としての特徴は、腕Ｂを装着可能な装着部１１０を有する一対の腕装着部１００と、この一対の腕装着部１００を連結する連結部２００とを備え、前記連結部２００は、前記腕装着部１００に着用者の両腕Bを装着した際に、該装着者Ａの背中側に配置されるように設けられている点にある。【選択図】図４
2006340930.tif 000002
【特許請求の範囲】
【請求項１】
腕を装着可能な装着部を有する一対の腕装着部と、この一対の腕装着部を連結する連結部とを備え、
前記連結部は、前記腕装着部に着用者の両腕を装着した際に、該装着者の背中側に配置されるように設けられていることを特徴とする健康器具。
【請求項２】
請求項１記載の健康器具であって、
前記連結部は、一方の腕装着部に固定される第一連結体と、他方の腕装着部に固定される第二連結体とを備え、
該第一連結体と第二連結体とは着脱可能に連結されていることを特徴とする健康器具。
【請求項３】
請求項１または２記載の健康器具であって、
前記一対の腕装着部は、両者の腕装着部の相互距離を調整できるように設けられていることを特徴とする健康器具。
【請求項４】
請求項１乃至３の何れかに記載の健康器具であって、
前記連結部は、前記装着者の背中との接触面が平滑面に設けられていることを特徴とする健康器具。
【請求項５】
請求項１乃至４の何れかに記載の健康器具であって、
前記連結部は、前記装着者の背中の形状に沿うような可撓性を備えてなることを特徴とする健康器具。
【発明の詳細な説明】
【技術分野】
【０００１】
本願発明は、健康器具に関し、より詳しくは、歩行運動に際して好適に用いられる歩行補助具に関するものである。
【背景技術】
【０００２】
健康・運動不足を考慮して、健康効果が高く身体に負担の少ないいわゆるウォーキングといわれる歩行運動を行うことが一般的になされている。しかしながら、歩行運動に際して、腕を直線的で大きく振る動きは、体幹の動き（胸椎の回旋など）、歩行効率・スピードに結びつかず、エネルギーロスが大きく、疲労しやすい。
【０００３】
なお、前述のような腕の動きを矯正するものとしては、姿勢矯正ベルトが公知である。これは一般的な姿勢に対するものであり、歩行運動に対して考慮を図っているものではない。また、この姿勢矯正ベルトは、肩をしっかりと固定するものであるため、自然な胸椎回旋や肩関節の動きを制限するものである。このため、かかる姿勢矯正ベルトを装着して歩行運動を行うと、腰椎回旋が大きくなり、腰への負担が大きくなる。また、装着の煩雑さ等の問題を有している。
【発明の開示】
【発明が解決しようとする課題】
【０００４】
そこで、本願発明、上記事情に鑑みて創案されたもので、本願発明の課題は、歩行運動に際して装着者の肘の回旋軌道を設定することにより、肩関節の自由性を損なうことなく、前鋸筋・菱形筋の拮抗運動と一定のリズムで正確な胸椎回旋・肩甲骨の動きを行うことのできる健康器具を提供することにある。
【課題を解決するための手段】
【０００５】
本願発明は、上記課題を解決すべくなされたものであり、本願発明に係る健康器具としての特徴は、腕を装着可能な装着部を有する一対の腕装着部と、この一対の腕装着部を連結する連結部とを備え、前記連結部は、前記腕装着部に着用者の両腕を装着した際に、該装着者の背中側に配置されるように設けられている点にある。
【０００６】
上記構成からなる本願発明に係る健康器具を装着した装着者は、歩行に際して一対の装着部に装着した両腕の相互距離が一定範囲に限定され、肘の回旋が一定の軌道によって行われることにより、肩関節の自由性を損なうことなく、前鋸筋・菱形筋の拮抗運動と一定のリズムで正確な胸椎回旋・肩甲骨の動きを行うことができる。なお、上記装着部としては、腕を挿入着可能な装着孔部を有するとともに硬質プラスチック等からなる一定形状の装着部材から構成することが可能であり、このような装着孔部を有する装着部材によって構成する場合には、前記装着孔部は、装着者の腕の外形よりも大きく、装着孔部の内面と装着者の腕とが一定隙間を有するような大きさに設けることが好ましい。
【０００７】
また、本願発明に係る健康器具にあっては、前記連結部が、一方の腕装着部に固定される第一連結体と、他方の腕装着部に固定される第二連結体とを備え、該第一連結体と第二連結体とは着脱可能に連結されている構成を採用することが好ましい。
【０００８】
上記構成を採用した健康器具を装着した装着者が歩行を行っている際に該装着者が転倒等しかけた場合に、第一連結体と第二連結体とが着脱可能に連結しているため、第一連結体と第二連結体とが腕からの力によって互いに離脱し、両腕が該健康器具によって束縛されることがなく、両手を自由に使えるため、事故の発生を防止することができる。なお、第一連結体と第二連結体との連結手段は、たとえば、磁石、面ファスナー等の種々の公知の手段を採用することが可能であり、該連結手段による連結力は、歩行に際しての腕からの力によっては離脱できず、咄嗟に装着者が作用させる力によって連結を解除するような力とすることが好ましい。
【０００９】
また、本願発明に係る健康器具にあっては、前記一対の腕装着部が、両者の腕装着部の相互距離を調整できるように設けられている構成を採用することが好ましい。
【００１０】
これによって、装着者の体格等に応じて一対の腕装着部の相互距離を調整することができる。なお、腕装着部の相互距離の調節は、たとえば、腕装着部と連結部との固定部位を変更可能に設けたり、また、連結部自体の長さを調節可能に設けたりすることにより、実現することができる。
【００１１】
また、本願発明に係る健康器具にあっては、前記連結部が、前記装着者の背中との接触面が平滑面に設けられている構成を採用することが好ましい。
【００１２】
つまり、歩行を行う装着者の両肩の動きに応じて該健康器具自体も移動するものの、連結部の接触面を平滑面に設けておくことにより、連結部と背中とのスライドに際する抵抗が小さく、的確に腕を振った歩行が自然と行い得る利点を有する。なお、前述のように連結部が第一連結体と第二連結体とを有する場合には、該連結部が、その第一連結体および第二連結体よりも装着者の背中側に位置する接触部材を備え、該接触部材が背中とのスライドを円滑に行い得る素材により構成することにより、上記構成を実現することが可能となる。
【００１３】
また、本願発明に係る健康器具にあっては、前記連結部が、前記装着者の背中の形状に沿うような可撓性を備えた構成を採用することが好ましい。かかる構成を採用することにより、装着者の背中に応じて可撓性を有する連結部が変形するために、体格の異なる装着者であっても的確に前記歩行運動による効果が得られる。
【発明を実施するための最良の形態】
【００１４】
以下、本願発明の実施形態について図１および図５を参酌しつつ説明する。
なお、図１は、本願発明の一実施形態の健康器具の分解平面図である。また、図２は、同実施形態の健康器具の第二連結体および第二装着部材の一部切欠きを含む背面図であり、図３は、同正面図である。図４および図５は、同実施形態の健康器具の装着状態を概略的に説明する説明図であって、図４は、概略的平面図で、図５は、概略的側面図である。
【００１５】
本実施形態の健康器具は、図１に示すように、腕Ｂを装着可能な腕装着孔部１１０を有する一対の腕装着部材１００と、この一対の腕装着部材１００を連結するとともに前記腕装着孔部１１０に着用者の両腕Ｂを装着した際に、該装着者Ａの背中側（正面側）に配置される連結部材２００とを備えている。また、該連結部材２００は、一方の腕装着部材１００（以下、「第一腕装着部材」ということがある）に固定される第一連結体２１０と、該第一連結体２１０に連結されるとともに他方の腕装着部材１００（以下、「第二腕装着部材」ということがある）に固定される第二連結体２２０と、該第二連結体２２０の正面側において該第二連結体２２０に連結される第三連結体２３０（接触部材）とから構成されている。
【００１６】
また、前記連結部材２００は、一定の可撓性を有する硬質プラスチックからなる平板状部材から構成されており、第一連結体２１０および第二連結体２２０は、一方の端部において背面側に前記第一腕装着部材１００および第二腕装着部材１００が固定されており、他方の端部において互いに重なり合い、この重なった部分で双方が着脱可能に連結されている。なお、前記連結部材２００は、この健康器具を装着した装着者の背中の形状に沿うような可撓性を備えている。
【００１７】
また、この第一連結体２１０と第二連結体２２０とは、磁石等の着脱手段３００によって着脱可能に連結されており、図示例では、第一連結体２１０と第二連結体２２０との連結に前記磁石３００を採用しており、この磁石３００による連結力は、歩行に際しての装着者の腕からの力によっては離脱できず、咄嗟に装着者が作用させる力によって連結を解除するような力としている。なお、本実施形態では、第一連結体２１０および第二連結体２２０には、磁石３００の取付用穿孔（図示省略）がそれぞれ形成されており、磁石３００が前記取付用穿孔に埋設されている。また、該磁石３００には、連結される他方の磁石３００の対向面の反対側の面に、前記取付用穿孔よりも外径の大きな板３１０が両面接着テープ（図示省略）を介して接着されている。なお、図示例では、前記磁石３００は、連結される他方の磁石３００側に第一連結体２１０あるいは第二連結体２２０から突出した状態で図示しているが、該磁石３００は、第一連結体２１０の正面および第二連結体２２０の背面と面一に設けることも可能である。また、図示例では、前記磁石３００は、第一連結体２１０および第二連結体２２０にそれぞれ六個設けたものを図示しているが、かかる磁石３００の個数は適宜設計変更可能な事項である。また、図示例では、第一連結体２１０および第二連結体２２０には、それぞれ端部に三つの磁石３００を設けるとともに、この端部の磁石３００に対応する箇所に三つの磁石３００を設けたものを例示したが、たとえば、前記第一連結体２１０と第二連結体２２０との重なり合った部分全体にわたって磁石３００を設けて、第一連結体２１０の磁石と第二連結体２２０の磁石との連結位置を変更することによって、一対の腕装着孔部１１０の相互距離を調整可能に設けることも可能である。
【００１８】
また、第三連結体２３０は、前記第一連結体２１０と第二連結体２２０とが連結された状態の幅と略同一の幅に設けられ、装着者の背中に接触する位置に配置されている。この第三連結体２３０は、前記第一連結体２１０と第二連結体２２０との重なり合った部分（着脱手段が設けられている箇所）付近において、第二連結体２２０に着脱可能に連結されている。ここで、第三連結体２３０と第二連結体２２０との連結は、所謂マジックテープ(商標)という面ファスナー等の着脱手段４００によってなされており、図示例においては、第三連結体２３０と第二連結体２２０との連結に前記面ファスナー４００を採用しており、第二連結体２２０の自由端側の正面側および第三連結体２３０の中央付近の背面側に前記面ファスナー４００が固着されている。また、該第三連結体２３０の正面側（装着者の背中に接する面側）には他の部材は設けられておらず、装着者の背中との接触面（第三連結体２３０の正面２３０ａ）が平滑面に設けられている。
【００１９】
また、第二連結体２２０と第二腕装着部材１００とには、両者を固着するための複数の穿孔２２０ａ，１００ａが形成されており、この穿孔２２０ａ，１００ａにリベット等の固定手段５００を装着することによって両者は固着されている。また、第一連結体２１０と第一腕装着部材１００も上記構成と同様であり、複数の穿孔２２０ａ，１００ａのうち何れの穿孔に固定手段５００を装着するかにより、一対の腕装着孔部１１０の相互距離を調整可能に設けられている。
【００２０】
なお、以下、図２および図３を参酌して第二腕装着部材１００の具体的構成について説明するが、第一腕装着部材１００も同一構成である。
【００２１】
第二腕装着部材１００は、硬質プラスチックからなる略円筒状部材からなり、その中心の筒部が腕装着孔部１１０として機能する。ここで、この腕装着孔部１１０の内面には、スポンジ部材等からなる緩衝部材１２０が固定されている。また、該腕装着孔部１１０は、装着者の腕の外形よりも大きく、腕装着孔部１１０の内面と装着者の腕とが一定隙間を有するような大きさに設けられており、このように装着した腕が腕装着孔部１１０の内面に接触する面としない面とが生じるような大きさとすることによって、歩行に際して手全体がより的確に振られて歩行運動の効果を高めることが可能となる。
【００２２】
また、第二腕装着部１００には、その外面側に反射シート等の注意喚起手段１３０が貼着されており、このため、夜間にウォーキング等を行った場合であっても、車のライト等を反射し、運転者に注意を喚起することが可能となる。なお、かかる注意喚起手段１３０は、その他の部材（たとえば第一連結体２１０）にも設けることも適宜設計変更可能な事項である。
【００２３】
上記構成からなる本実施形態の健康器具にあっては、装着した装着者Ａが歩行を行っている際に両腕Ｂの相互距離が一定範囲に限定されることになり、このため、肘の回旋が一定の軌道によって行われることにより、肩関節の自由性を損なうことなく、前鋸筋・菱形筋の拮抗運動と一定のリズムで正確な胸椎回旋・肩甲骨の動きを行うことができる。
【００２４】
なお、上記各実施例は上記構成から既述の利点を有するものであったが、本願発明はこれに限定されるものではなく、本願発明の意図する範囲内で適宜設計変更可能である。
【図面の簡単な説明】
【００２５】
【図１】本願発明の一実施形態の健康器具の分解平面図である。
【図２】同実施形態の健康器具の第二連結体および第二装着部材の一部切欠きを含む背面図である。
【図３】同実施形態の健康器具の第二連結体および第二装着部材の正面図である。
【図４】同実施形態の健康器具の装着状態を概略的に説明する概略的平面図である。
【図５】同実施形態の健康器具の装着状態を概略的に説明する概略的側面図である。
【符号の説明】
【００２６】
１００：腕装着部材
１１０：腕装着孔部
１２０：緩衝部材
１３０：注意喚起手段
２００：連結部材
２１０：第一連結体
２２０：第二連結体
２３０：第三連結体
２３０ａ：第三連結体の正面
１００ａ,２２０ａ：穿孔
３００：磁石
３１０：板
４００：面ファスナー
５００：固定手段
Ａ：装着者
Ｂ：腕
【図１】
2006340930.tif 000003
【図２】
2006340930.tif 000004
【図３】
2006340930.tif 000005
【図４】
2006340930.tif 000006
【図５】
2006340930.tif 000007
【手続補正書】
【提出日】平成17年6月27日(2005.6.27)
【手続補正１】
【補正対象書類名】明細書
【補正対象項目名】００１８
【補正方法】変更
【補正の内容】
【００１８】
また、第三連結体２３０は、前記第一連結体２１０と第二連結体２２０とが連結された状態の幅と略同一の幅に設けられ、装着者の背中に接触する位置に配置されている。この第三連結体２３０は、前記第一連結体２１０と第二連結体２２０との重なり合った部分（着脱手段が設けられている箇所）付近において、第二連結体２２０に着脱可能に連結されている。ここで、第三連結体２３０と第二連結体２２０との連結は、所謂マジックテープ（商標）という面ファスナー等の着脱手段４００によってなされており、図示例においては、第三連結体２３０と第二連結体２２０との連結に前記面ファスナー４００を採用しており、第二連結体２２０の自由端側の正面側および第三連結体２３０の中央付近の背面側に前記面ファスナー４００が固着されている。また、該第三連結体２３０の正面側（装着者の背中に接する面側）には他の部材は設けられておらず、装着者の背中との接触面（第三連結体２３０の正面）が平滑面に設けられている。
【手続補正２】
【補正対象書類名】明細書
【補正対象項目名】００２６
【補正方法】変更
【補正の内容】
【００２６】
１００：腕装着部材
１１０：腕装着孔部
１２０：緩衝部材
１３０：注意喚起手段
２００：連結部材
２１０：第一連結体
２２０：第二連結体
２３０：第三連結体
１００ａ,２２０ａ：穿孔
３００：磁石
３１０：板
４００：面ファスナー
５００：固定手段
Ａ：装着者
Ｂ：腕